(57)【要約】【課題】  ローカルＩＰ電話網内で行われる通話接続に関する諸動作を外部に対して秘匿しつつ、グローバルＩＰ電話網との間で通話接続させることが可能なゲートウェイ装置を実現する。【解決手段】  ＩＰ−ＰＢＸ３に接続された電話機４から、グローバルＩＰ電話網Ｇに接続されたＩＰ電話機５との間で行われている通話の保留を要求する信号をＳＩＰコールマネージャ１４を介して受信すると、境界マネージャ１５はＲＴＰエンドポイント２２を介してＩＰ電話機５に保留音を送出する。電話機４は、ＩＰ電話機５との間で行われている通話を、同じくＩＰ−ＰＢＸ３に接続された他の電話端末に転送するよう要求する信号を、ＳＩＰコールマネージャ１４を介して境界マネージャ１５に送信する。境界マネージャ１５は、ＲＴＰエンドポイント２１にＲＴＰの送信先を変更させ、通話を転送する。【選択図】  図３
2005191738.tif 000002
【特許請求の範囲】
【請求項１】
ローカルＩＰ（Internet Protocol）電話回線とグローバルＩＰ電話回線とに接続され、前記ローカルＩＰ電話回線に接続された電話端末と前記グローバルＩＰ電話回線に接続された電話端末との間で通話のための接続を中継するゲートウェイ装置であって、
当該ゲートウェイ装置の前記グローバルＩＰ電話回線におけるアドレス情報を記憶する記憶手段と、
前記ローカルＩＰ電話回線に接続された電話端末との間で通信を行うローカル側通信手段と、
前記グローバルＩＰ電話回線に接続された電話端末との間で通信を行うグローバル側通信手段と、
信号処理手段と、を備え、
前記ローカル側通信手段は、前記ローカルＩＰ電話回線に接続された電話端末から前記グローバルＩＰ電話回線に向けて発せられた信号を受信及び監視し、所定の要求信号を検出すると、該所定の要求信号を前記グローバル側通信手段に伝えることなく、前記信号処理手段に通知し、前記所定の要求信号以外の他の所定の要求信号を検出すると、該他の所定の要求信号を前記グローバル側通信手段に伝えて、前記グローバルＩＰ電話回線に出力させ、
前記信号処理手段は、前記ローカルＩＰ電話回線に接続された電話端末からの所定の要求信号に対応する処理を行って、前記要求信号に対応する応答信号を前記ローカル側通信手段を介して前記ローカルＩＰ電話回線に送信し、
前記グローバル側通信手段は、前記グローバルＩＰ電話回線から、前記ローカルＩＰ電話回線内に向けて発せられた信号を、該ゲートウェイ装置に割り当てられたアドレスで受信し、送信先を判別して、前記ローカル側通信手段を介して前記ローカルＩＰ電話回線に接続された電話端末に送信する、
ことを特徴とするゲートウェイ装置。
【請求項２】
前記ローカル側通信手段は、前記ローカルＩＰ電話回線に接続された電話端末から、前記グローバルＩＰ電話回線に接続された電話端末との間での通話の確立を要求する要求信号と、前記要求信号の発信元である前記ローカルＩＰ電話回線に接続された電話端末の前記ローカルＩＰ電話回線におけるアドレス情報と、前記要求信号の送信先である前記グローバルＩＰ電話回線に接続された電話端末の前記グローバルＩＰ電話回線におけるアドレス情報と、を受信し、
前記グローバル側通信手段は、前記ローカル側通信手段が受信した前記発信元の情報を前記記憶手段に記憶された当該ゲートウェイ装置の前記グローバルＩＰ電話回線におけるアドレス情報に変換し、前記要求信号とともに、前記グローバルＩＰ電話回線に接続された前記電話端末に送信する、
ことを特徴とする請求項１に記載のゲートウェイ装置。
【請求項３】
前記ローカルＩＰ電話回線に接続された電話端末と前記グローバルＩＰ電話回線に接続された電話端末との間で音声信号を中継する音声中継手段をさらに備え、
該音声中継手段は、
前記ローカルＩＰ電話回線に接続された電話端末から、音声信号と、該音声信号の発信元の情報である前記ローカルＩＰ電話回線に接続された電話端末の前記ローカルＩＰ電話回線におけるアドレス情報と、前記音声信号の送信先の情報である前記グローバルＩＰ電話回線に接続された電話端末の前記グローバルＩＰ電話回線におけるアドレス情報と、を受信し、
前記音声信号の発信元の情報を前記ローカルＩＰ電話回線に接続された電話端末の前記ローカルＩＰ電話回線におけるアドレス情報から当該ゲートウェイ装置の前記グローバルＩＰ電話回線におけるアドレス情報へと変換して、前記音声信号とともに前記グローバルＩＰ電話回線に接続された電話端末に送信する、
ことを特徴とする請求項１又は２に記載のゲートウェイ装置。
【請求項４】
前記記憶手段は、前記グローバルＩＰ電話回線に接続された電話端末への複数の接続経路に関する接続経路情報をさらに記憶し、
前記ローカル側通信手段は、前記ローカルＩＰ電話回線に接続された電話端末から、通話の確立を要求する要求信号を受信すると、確立を要求された前記通話の接続先への接続経路を前記複数の接続経路情報から所定の条件に基づいて選択し、
前記グローバル側通信手段は、選択された前記接続経路に従って、前記要求信号を前記グローバルＩＰ電話回線に接続された電話端末に送信する、
ことを特徴とする請求項１、２又は３に記載のゲートウェイ装置。
【請求項５】
前記記憶手段は、所定の音声データをさらに記憶し、
前記ローカル側通信手段又は前記グローバル側通信手段は、前記ローカルＩＰ電話回線に接続された電話端末又は前記グローバルＩＰ電話回線に接続された電話端末から通話の保留を要求する要求信号を受信すると、前記記憶手段から前記音声データを読み出して、前記要求信号の送信元とは反対側の電話端末に該音声データを送信する、
ことを特徴とする請求項１乃至４のいずれか１項に記載のゲートウェイ装置。
【請求項６】
所定の圧縮方式で圧縮された音声信号を、前記所定の圧縮方式以外の他の所定の圧縮方式で圧縮された音声信号へと変換する圧縮方式変換手段をさらに備え、
前記音声中継手段は、前記ローカルＩＰ電話回線に接続された電話端末から受信した音声信号と前記グローバルＩＰ電話回線に接続された電話端末から受信した音声信号とが同一の圧縮方式で圧縮されているか否かを判別し、
前記圧縮方式変換手段は、前記音声中継手段により圧縮方式が一致していないと判別した双方の前記音声信号を所定の圧縮方式で圧縮された音声信号へと変換し、
前記音声中継手段は、前記圧縮方式変換手段によって変換された音声信号を前記ローカルＩＰ電話回線に接続された電話端末又は前記グローバルＩＰ電話回線に接続された電話端末に送信する、
ことを特徴とする請求項１乃至５のいずれか１項に記載のゲートウェイ装置。
【請求項７】
所定の暗号化方式で暗号化された音声信号を、前記所定の暗号化方式以外の他の暗号化方式で暗号化された音声信号へと変換する暗号化方式変換手段をさらに備え、
前記音声中継手段は、前記ローカルＩＰ電話回線に接続された電話端末から受信した音声信号と前記グローバルＩＰ電話回線に接続された電話端末から受信した音声信号とが同一の暗号方式で暗号化されているか否かを判別し、
前記暗号化方式変換手段は、前記音声中継手段により暗号化方式が一致していないと判別した双方の前記音声信号を所定の暗号化方式で暗号化された音声信号へと変換し、
前記音声中継手段は、前記暗号化方式変換手段によって暗号化された音声信号を前記ローカルＩＰ電話回線に接続された電話端末又は前記グローバルＩＰ電話回線に接続された電話端末に送信する、
ことを特徴とする請求項１乃至６のいずれか１項に記載のゲートウェイ装置。
【請求項８】
通話中又は通話の確立を試行中の前記ローカルＩＰ電話回線に接続された電話端末と前記グローバルＩＰ電話回線に接続された電話端末との組の数を管理する通話本数管理手段をさらに備え、
前記通話本数管理手段は、通話中又は通話の確立を試行中の電話端末の組が所定数以上存在した場合、通話の確立を新規に要求する要求信号を遮断する、
ことを特徴とする請求項１乃至７のいずれか１項に記載のゲートウェイ装置。
【請求項９】
コンピュータを、ローカルＩＰ（Internet Protocol）電話回線とグローバルＩＰ電話回線とに接続され、前記ローカルＩＰ電話回線に接続された電話端末と前記グローバルＩＰ電話回線に接続された電話端末との間で通話のための接続を中継するゲートウェイ装置であって、
当該ゲートウェイ装置の前記グローバルＩＰ電話回線におけるアドレス情報を記憶する記憶手段と、
前記ローカルＩＰ電話回線に接続された電話端末との間で通信を行うローカル側通信手段と、
前記グローバルＩＰ電話回線に接続された電話端末との間で通信を行うグローバル側通信手段と、
信号処理手段と、を備え、
前記ローカル側通信手段は、前記ローカルＩＰ電話回線に接続された電話端末から前記グローバルＩＰ電話回線に向けて発せられた信号を受信及び監視し、所定の要求信号を検出すると、該所定の要求信号を前記グローバル側通信手段に伝えることなく、前記信号処理手段に通知し、前記所定の要求信号以外の他の所定の要求信号を検出すると、該他の所定の要求信号を前記グローバル側通信手段に伝えて、前記グローバルＩＰ電話回線に出力させ、
前記信号処理手段は、前記ローカルＩＰ電話端末からの所定の要求信号に対応する処理を行って、前記要求信号に対応する応答信号を前記ローカル側通信手段を介して前記ローカルＩＰ電話回線に送信し、
前記グローバル側通信手段は、前記グローバルＩＰ電話回線から、前記ローカルＩＰ電話回線内に向けて発せられた信号を、該ゲートウェイ装置に割り当てられたアドレスで受信し、送信先を判別して、前記ローカル側通信手段を介して前記ローカルＩＰ電話回線に接続された電話端末に送信する、
ことを特徴とするゲートウェイ装置として動作させることを特徴とするプログラム。
【発明の詳細な説明】
【技術分野】
【０００１】
本発明は、ＶｏＩＰ（Voice over Internet Protocol）のファイヤウォール機能付きゲートウェイ装置に関し、特にグローバルＩＰ（Internet
Protocol）電話網とローカルＩＰ電話網とを中継するファイヤウォール機能付きゲートウェイ装置に関する。
【背景技術】
【０００２】
近年、企業等の組織において企業内交換機（構内ＰＢＸ）をＩＰ電話網（ＩＰ−ＰＢＸ）に置き換える動きが活発化している。また、企業内の拠点間において接続を専用線接続からＩＰ電話網接続に置き換える動きが活発化している（例えば、特許文献１）。
【０００３】
一方、総務省はＩＰ電話端末に「０５０」から始まる１１桁の電話番号を割り当て、その結果、ＩＰ電話網と一般電話網との接続が確立された。また、インターネットプロバイダはＩＰ電話接続サービスを開始し、プロバイダへ登録されたＩＰ電話端末間、及びＩＰ電話端末と一般電話網との接続が提供されている。
【０００４】
一方、構内ＩＰ電話網（ＩＰ−ＰＢＸ）内の電話端末からインターネットを介してＩＰ電話サービスを利用する場合、ゲートウェイ装置等の中継装置を用いて接続を制御する必要がある。その際、ＩＰ電話接続におけるゲートウェイ装置は、従来のゲートウェイ装置が持っているファイアウォールとしての機能を果たさない。これは、ＩＰ電話接続を行うか否かによって、ゲートウェイ装置には、すべてのＶｏＩＰポートを開けるかすべてのＶｏＩＰポートを閉じるかの２つの選択肢しかないためである。つまり、ポートを閉じた場合はＶｏＩＰが全く利用できず、開けた場合はファイアウォールとしての機能を果たさないということになる。そこで、通常は閉じているポートをＶｏＩＰパケットが来たときだけ開けることにより、ポートを制御できるファイアウォール機能付きのゲートウェイ装置が考えられた（例えば、非特許文献１）。
【０００５】
前述したファイアウォール付きゲートウェイ装置では、ＩＰ−ＮＡＴ（Network Adress
Translation）と呼ばれるアドレス変換方法を用いてローカルＩＰアドレスとグローバルＩＰアドレスとを変換し、ローカルＩＰ電話網内の電話端末とグローバルＩＰ電話網のＩＰ電話端末とを接続する。これにより、ローカルＩＰ電話網内の電話端末とグローバルＩＰ電話網内の電話端末との間での、ファイアウォールによるアドレス情報の秘匿が行われる。
【特許文献１】特開２０００−０５９４１５号公報
【非特許文献１】三井物産ニュースリリース  （インターネットアドレス＜http://www.mitsui.co.jp/tkabz/news/2003/030716.html＞）
【発明の開示】
【発明が解決しようとする課題】
【０００６】
ローカルＩＰ電話網は、付加信号や新規に標準化された信号を利用することにより、新しい機能やサービスを実現させようとしている。一方、既存のグローバルＩＰ電話網は完成された電話網であり、既存の端末へ影響を与える可能性を持つ付加記号や新規に標準化された信号の使用を制限している。したがって従来のＩＰ−ＮＡＴでは、ローカルＩＰ電話網で用いられる付加信号や新規に標準化された信号は、グローバルＩＰ電話網の制限により使用することができなくなる。つまり、ローカルＩＰ電話網とグローバルＩＰ電話網との間の接続では、ローカルＩＰ電話網にて実現されるべき新しい機能やサービスが著しく制限されてしまう。
【０００７】
例えば、ローカルＩＰ電話網が網内部で通話転送等の動作を行う際、一部のグローバルＩＰ電話網は、この通話接続先移動のための信号を許容していない場合がある。このため、従来のＩＰ−ＮＡＴ機能を用いたローカルＩＰ電話網とグローバルＩＰ電話網との接続では、ローカルＩＰ電話網内の通話転送が実現できなくなる。
【０００８】
また、グローバルＩＰ電話網がその信号を許容していた場合でも、ローカルＩＰ電話網内部の転送動作等の情報は、グローバルＩＰ電話網へと通知されていた。つまり、ローカルＩＰ電話網内で行われ、本来は外部から秘匿されるべき内部動作の情報が、グローバルＩＰ電話網に対して漏洩してしまっていた。
【０００９】
本発明は、上記実状に鑑みてなされたものであり、ローカルＩＰ電話網内で行われる通話接続に関する諸動作を外部に対して秘匿しつつ、グローバルＩＰ電話網との間で通話接続させることが可能なゲートウェイ装置を実現することを目的とする。また、ローカルＩＰ電話網内の諸動作で用いられる信号がグローバルＩＰ電話網に対して影響を及ぼさないよう、ローカルＩＰ電話網とグローバルＩＰ電話網とを接続することが可能なゲートウェイ装置を実現することを他の目的とする。
【課題を解決するための手段】
【００１０】
上記目的を達成するため、本発明の第１の観点に係るゲートウェイ装置は、
ローカルＩＰ（Internet Protocol）電話回線とグローバルＩＰ電話回線とに接続され、前記ローカルＩＰ電話回線に接続された電話端末と前記グローバルＩＰ電話回線に接続された電話端末との間で通話のための接続を中継するゲートウェイ装置であって、
当該ゲートウェイ装置の前記グローバルＩＰ電話回線におけるアドレス情報を記憶する記憶手段と、
前記ローカルＩＰ電話回線に接続された電話端末との間で通信を行うローカル側通信手段と、
前記グローバルＩＰ電話回線に接続された電話端末との間で通信を行うグローバル側通信手段と、
信号処理手段と、を備え、
前記ローカル側通信手段は、前記ローカルＩＰ電話回線に接続された電話端末から前記グローバルＩＰ電話回線に向けて発せられた信号を受信及び監視し、所定の要求信号を検出すると、該所定の要求信号を前記グローバル側通信手段に伝えることなく、前記信号処理手段に通知し、前記所定の要求信号以外の他の所定の要求信号を検出すると、該他の所定の要求信号を前記グローバル側通信手段に伝えて、前記グローバルＩＰ電話回線に出力させ、
前記信号処理手段は、前記ローカルＩＰ電話回線に接続された電話端末からの所定の要求信号に対応する処理を行って、前記要求信号に対応する応答信号を前記ローカル側通信手段を介して前記ローカルＩＰ電話回線に送信し、
前記グローバル側通信手段は、前記グローバルＩＰ電話回線から、前記ローカルＩＰ電話回線内に向けて発せられた信号を、該ゲートウェイ装置に割り当てられたアドレスで受信し、送信先を判別して、前記ローカル側通信手段を介して前記ローカルＩＰ電話回線に接続された電話端末に送信する、
ことを特徴とする。
【００１１】
前記ローカル側通信手段は、前記ローカルＩＰ電話回線に接続された電話端末から、前記グローバルＩＰ電話回線に接続された電話端末との間での通話の確立を要求する要求信号と、前記要求信号の発信元である前記ローカルＩＰ電話回線に接続された電話端末の前記ローカルＩＰ電話回線におけるアドレス情報と、前記要求信号の送信先である前記グローバルＩＰ電話回線に接続された電話端末の前記グローバルＩＰ電話回線におけるアドレス情報と、を受信し、
前記グローバル側通信手段は、前記ローカル側通信手段が受信した前記発信元の情報を前記記憶手段に記憶された当該ゲートウェイ装置の前記グローバルＩＰ電話回線におけるアドレス情報に変換し、前記要求信号とともに、前記グローバルＩＰ電話回線に接続された前記電話端末に送信することが好ましい。
【００１２】
前記ローカルＩＰ電話回線に接続された電話端末と前記グローバルＩＰ電話回線に接続された電話端末との間で音声信号を中継する音声中継手段をさらに備え、
該音声中継手段は、
前記ローカルＩＰ電話回線に接続された電話端末から、音声信号と、該音声信号の発信元の情報である前記ローカルＩＰ電話回線に接続された電話端末の前記ローカルＩＰ電話回線におけるアドレス情報と、前記音声信号の送信先の情報である前記グローバルＩＰ電話回線に接続された電話端末の前記グローバルＩＰ電話回線におけるアドレス情報と、を受信し、
前記音声信号の発信元の情報を前記ローカルＩＰ電話回線に接続された電話端末の前記ローカルＩＰ電話回線におけるアドレス情報から当該ゲートウェイ装置の前記グローバルＩＰ電話回線におけるアドレス情報へと変換して、前記音声信号とともに前記グローバルＩＰ電話回線に接続された電話端末に送信することが好ましい。
【００１３】
前記記憶手段は、前記グローバルＩＰ電話回線に接続された電話端末への複数の接続経路に関する接続経路情報をさらに記憶し、
前記ローカル側通信手段は、前記ローカルＩＰ電話回線に接続された電話端末から、通話の確立を要求する要求信号を受信すると、確立を要求された前記通話の接続先への接続経路を前記複数の接続経路情報から所定の条件に基づいて選択し、
前記グローバル側通信手段は、選択された前記接続経路に従って、前記要求信号を前記グローバルＩＰ電話回線に接続された電話端末に送信することが好ましい。
【００１４】
前記記憶手段は、所定の音声データをさらに記憶し、
前記ローカル側通信手段又は前記グローバル側通信手段は、前記ローカルＩＰ電話回線に接続された電話端末又は前記グローバルＩＰ電話回線に接続された電話端末から通話の保留を要求する要求信号を受信すると、前記記憶手段から前記音声データを読み出して、前記要求信号の送信元とは反対側の電話端末に該音声データを送信することが好ましい。
【００１５】
所定の圧縮方式で圧縮された音声信号を、前記所定の圧縮方式以外の他の所定の圧縮方式で圧縮された音声信号へと変換する圧縮方式変換手段をさらに備え、
前記音声中継手段は、前記ローカルＩＰ電話回線に接続された電話端末から受信した音声信号と前記グローバルＩＰ電話回線に接続された電話端末から受信した音声信号とが同一の圧縮方式で圧縮されているか否かを判別し、
前記圧縮方式変換手段は、前記音声中継手段により圧縮方式が一致していないと判別した双方の前記音声信号を所定の圧縮方式で圧縮された音声信号へと変換し、
前記音声中継手段は、前記圧縮方式変換手段によって変換された音声信号を前記ローカルＩＰ電話回線に接続された電話端末又は前記グローバルＩＰ電話回線に接続された電話端末に送信することが好ましい。
【００１６】
所定の暗号化方式で暗号化された音声信号を、前記所定の暗号化方式以外の他の暗号化方式で暗号化された音声信号へと変換する暗号化方式変換手段をさらに備え、
前記音声中継手段は、前記ローカルＩＰ電話回線に接続された電話端末から受信した音声信号と前記グローバルＩＰ電話回線に接続された電話端末から受信した音声信号とが同一の暗号方式で暗号化されているか否かを判別し、
前記暗号化方式変換手段は、前記音声中継手段により暗号化方式が一致していないと判別した双方の前記音声信号を所定の暗号化方式で暗号化された音声信号へと変換し、
前記音声中継手段は、前記暗号化方式変換手段によって暗号化された音声信号を前記ローカルＩＰ電話回線に接続された電話端末又は前記グローバルＩＰ電話回線に接続された電話端末に送信することが好ましい。
【００１７】
通話中又は通話の確立を試行中の前記ローカルＩＰ電話回線に接続された電話端末と前記グローバルＩＰ電話回線に接続された電話端末との組の数を管理する通話本数管理手段をさらに備え、
前記通話本数管理手段は、通話中又は通話の確立を試行中の電話端末の組が所定数以上存在した場合、通話の確立を新規に要求する要求信号を遮断することが好ましい。
【００１８】
本発明の第２の観点に係るプログラムは、
コンピュータを、ローカルＩＰ（Internet Protocol）電話回線とグローバルＩＰ電話回線とに接続され、前記ローカルＩＰ電話回線に接続された電話端末と前記グローバルＩＰ電話回線に接続された電話端末との間で通話のための接続を中継するゲートウェイ装置であって、
当該ゲートウェイ装置の前記グローバルＩＰ電話回線におけるアドレス情報を記憶する記憶手段と、
前記ローカルＩＰ電話回線に接続された電話端末との間で通信を行うローカル側通信手段と、
前記グローバルＩＰ電話回線に接続された電話端末との間で通信を行うグローバル側通信手段と、
信号処理手段と、を備え、
前記ローカル側通信手段は、前記ローカルＩＰ電話回線に接続された電話端末から前記グローバルＩＰ電話回線に向けて発せられた信号を受信及び監視し、所定の要求信号を検出すると、該所定の要求信号を前記グローバル側通信手段に伝えることなく、前記信号処理手段に通知し、前記所定の要求信号以外の他の所定の要求信号を検出すると、該他の所定の要求信号を前記グローバル側通信手段に伝えて、前記グローバルＩＰ電話回線に出力させ、
前記信号処理手段は、前記ローカルＩＰ電話端末からの所定の要求信号に対応する処理を行って、前記要求信号に対応する応答信号を前記ローカル側通信手段を介して前記ローカルＩＰ電話回線に送信し、
前記グローバル側通信手段は、前記グローバルＩＰ電話回線から、前記ローカルＩＰ電話回線内に向けて発せられた信号を、該ゲートウェイ装置に割り当てられたアドレスで受信し、送信先を判別して、前記ローカル側通信手段を介して前記ローカルＩＰ電話回線に接続された電話端末に送信する、
ことを特徴とするゲートウェイ装置として動作させることを特徴とする。
【発明の効果】
【００１９】
本発明によれば、ローカルＩＰ電話網内の電話端末について、その網内における通話接続に関する動作の情報を外部に対して秘匿しつつ、グローバルＩＰ電話網に対して通話接続させることが可能なゲートウェイ装置が実現される。
【発明を実施するための最良の形態】
【００２０】
以下、本実施の形態に係るゲートウェイ装置及びＩＰ電話システムについて説明する。
（第１実施形態）
本実施の形態に係るＩＰ電話システムは、図１に示すようにゲートウェイ装置（以下、ＧＷと呼称）１と、ＳＩＰプロキシ２と、ＩＰ−ＰＢＸ（Internet
Protocol-Private Branch eXchange）３と、電話機４（４１〜４ｎ）と、ＩＰ電話機５（５１〜５ｍ）と、グローバルＩＰ電話網Ｇと、ローカルＩＰ電話網Ｌと、から構成される。
【００２１】
ＧＷ１は、グローバルＩＰ電話網ＧとローカルＩＰ電話網Ｌとの接続点であり、各ネットワーク間におけるデータの中継を行う。ＧＷ１は、図２に示すように、ＣＰＵ（Central
Processing Unit）やマイクロプロセッサ等からなる制御部３１と、ルータ等の通信装置からなる通信制御部３２と、ＲＡＭ（Random Access
Memory）やＲＯＭ（Read Only Memory）等からなる記憶部３３と、から構成される。ＧＷ１は、制御部３１が所定の動作プログラムを記憶部３３から読み込むことによって、図３に示す構成及び機能を有するような装置として動作する。
【００２２】
図３に示すように、この装置（ＧＷ１）は、メディアリレーショナルサーバ部（Media Relational Server）１１と、アウトバウンドスレイブ部(Outbound
Slave)１２と、レジスタ１３と、から構成される。
【００２３】
メディアリレーショナルサーバ部１１は、ＳＩＰコールマネージャ１４と、境界マネージャ１５と、ＩＰＣ接続部１６と、エンドポイント２０と、から構成される。同様に、アウトバウンドスレイブ部１２は、ＩＰＣ接続部１７と、境界マネージャ１８と、ＳＩＰコールマネージャ１９と、エンドポイント２３と、から構成される。
【００２４】
ＳＩＰコールマネージャ１４及び１９は、ＳＩＰのプロトコルスタックに従って動作し、それぞれＩＰ−ＰＢＸ３及びＳＩＰプロキシ２との間でＳＩＰメッセージを送受信する。
【００２５】
境界マネージャ１５及び１８は、ＳＩＰコールマネージャ１４及び１９が行うＳＩＰメッセージの送受信を管理する。また、境界マネージャ１５及び１８は、後述する通話確立動作の際に、それぞれエンドポイント２０及び２３を生成する。
【００２６】
ＩＰＣ接続部１６及び１７は、メディアリレーショナルサーバ部１１とアウトバウンドスレイブ部１２との間のコマンド及びレスポンスの送受信を媒介する。
【００２７】
エンドポイント２０及びエンドポイント２３は、後述する通話確立動作の際に境界マネージャ１５及び１８によって生成される。エンドポイント２０はローカルＩＰ電話網Ｌ内のＩＰ電話端末４（４１〜４ｎ）に対して、エンドポイント２３はグローバルＩＰ電話網Ｇに接続されたＩＰ電話端末５（５１〜５ｍ）に対して、それぞれ所定のＩＰアドレスを有する通話相手（音声信号の送受信相手）として動作する仮想端末である。エンドポイント２０の内部には、ＲＴＰエンドポイント２１とＲＴＰエンドポイント２２とが形成される。
【００２８】
ＲＴＰ（Real Time Protocol）エンドポイント２１とＲＴＰエンドポイント２２とは、通話確立後の電話機４とＩＰ電話機５との間の通話におけるＲＴＰによる音声ストリーム（音声データ）の送受信を中継する。また、ＲＴＰエンドポイント２１とＲＴＰエンドポイント２２とは、図４に示すようにそれぞれ保留音送出部２４と保留音送出部２５とを備える。保留音送出部２４及び２５は、自己の記憶部（図示せず）やＧＷ１の内部の他の記憶装置等に格納された所定のＷＡＶファイルを読み出して音声ストリームに乗せ、保留音を送出する。この保留音送出の動作の詳細については、後述する「保留転送動作」にて説明する。
【００２９】
レジスタ１３は、グローバルＩＰ電話網ＧにおいてＩＰ電話端末として動作するために必要なユーザＩＤ、ユーザパスワード等のユーザ情報や、ＧＷ１に割り当てられたグローバルＩＰアドレス情報を記憶する。また、レジスタ１３は、図５に示すようなローカル電話番号とローカルＩＰアドレスとを変換するためのアドレス変換テーブル１３１や、図６に示すような、ローカルＩＰ電話網Ｌ内のＩＰ電話端末４（４１〜４ｎ）の現在の通話接続の状態を管理するための通話接続管理テーブル１３２を記憶している。尚、レジスタ１３に記憶されている情報は、実際には前述した記憶部３３に格納されている。
【００３０】
ＳＩＰ（Session Initiation Protocol）プロキシ２は、サーバやパーソナルコンピュータ（ＰＣ）等の情報処理装置から構成され、帯域制御、呼の制御、課金、認証、等の処理を行う。
【００３１】
ＩＰ−ＰＢＸ３は、図１に示すように、企業Ａ内の電話機４同士のＩＰ（インターネットプロトコル）を介した音声データの授受を中継する交換機であり、ローカルネットワーク（ＬＡＮ）としてのＩＰネットワークによって複数の電話機４（４１〜４ｎ）と接続されている。
【００３２】
電話機４及びＩＰ電話機５は、ＩＰ（インターネットプロトコル）ベースで音声データをやりとりして通話を行うＩＰ電話機である。本実施の形態では、ローカル側の端末である電話機４はＩＰ−ＰＢＸ３に接続されており、グローバル側の端末であるＩＰ電話機５はグローバルＩＰ電話網Ｇに接続されている。これらのＩＰ電話機は、ＩＰ電話専用の機器である必要はなく、例えば、アナログ回線用の通常のＩＰ電話機にＴＡ（ターミナルアダプタ）等が取り付けられることによって実現されるものでもよい。
【００３３】
ローカルＩＰ電話網Ｌは、図示の通りＩＰ−ＰＢＸ３と電話機４（４１〜４ｎ）とによって構成されるローカルネットワークであり、本実施の形態ではＩＰネットワークによって実現されている。
【００３４】
グローバルＩＰ電話網Ｇは、例えば、インターネット等のネットワーク網である。グローバルＩＰ電話網Ｇには、複数のＩＰ電話機５（５１〜５ｍ）が接続されている。
【００３５】
次に、本実施の形態に係るＧＷ１の動作について説明する。
本実施の形態では、ローカルＩＰ電話網Ｌ内の電話端末（電話機４）とグローバルＩＰ電話網Ｇに接続された電話端末（ＩＰ電話機５）との間で通話が行われるものとする。
【００３６】
（ローカル側からの発信による通話確立）
企業Ａの社員は、電話機４の受話器を取って、ローカルＩＰ電話網Ｌ（企業Ａ）の外側の所定の電話番号（ＩＰ電話機５の電話番号）をダイヤルする。この電話機４からの発信による通話確立動作を、図７のダイアグラムを参照して説明する。尚、ここではＩＰ電話機５は通話が可能な状態（通話中等ではない状態）であるものとし、ＩＰ電話機５のユーザは電話機４からの着信を受けてＩＰ電話機５の受話器を取り、通話を行うものとする。
【００３７】
電話機４は、通話の確立を要求する所定の信号を、自己のローカル電話番号情報（eg.１１１×）及び相手先（ＩＰ電話機５）の電話番号情報（eg.０５０−××××−××××）とともにＩＰ−ＰＢＸ３に送信する。ＩＰ−ＰＢＸ３は、電話機４からの信号及び情報を受信すると、発呼メッセージであるＳＩＰパケットの「ＩＮＶＩＴＥ」を発行し、ＧＷ１のメディアリレーショナルサーバ部１１のＳＩＰコールマネージャ１４に、呼の設定を要求する（ステップＳ１０１）。また、ＩＰ−ＰＢＸ３は、接続先であるＩＰ電話機５の電話番号情報（eg.０５０−××××−××××）と接続元である電話機４のローカル電話番号情報（eg.１１１×）とを、「ＩＮＶＩＴＥ」メッセージとともにＳＩＰコールマネージャ１４に送信する。
【００３８】
ＳＩＰコールマネージャ１４は、通話の確立を試行中であることを示すＳＩＰメッセージ「ＴＲＹＩＮＧ」をＩＰ−ＰＢＸ３に送信する（ステップＳ１０２）。また、ＳＩＰコールマネージャ１４は、ローカルＩＰ電話網Ｌ内（の電話機４）から呼び出し要求があったことを通知する信号「cbi called」を、前述した電話番号情報（ＩＰ電話機５の電話番号情報及び電話機４のローカル電話番号情報）とともに、境界マネージャ１５に送信する（ステップＳ１０３）。
【００３９】
境界マネージャ１５は、エンドポイント２０（仮想端末）を作成（「createEndPoint」）し（ステップＳ１０４）、呼び出し要求を通知する信号「cmd call」を前述した電話番号情報（ＩＰ電話機５の電話番号情報及び電話機４のローカル電話番号情報）とともに、ＩＰＣ接続部１６及び１７を介してＧＷ１のアウトバウンドスレイブ部１２の境界マネージャ１８に送信する（ステップＳ１０５）。
【００４０】
境界マネージャ１８は、エンドポイント２３（仮想端末）を作成（「createEndPoint」）する（ステップＳ１０６）。また、境界マネージャ１８は、呼び出しを要求する信号「proc
call」を前述した電話番号情報（ＩＰ電話機５の電話番号情報及び電話機４のローカル電話番号情報）とともにＳＩＰコールマネージャ１９に送信する（ステップＳ１０７）。
【００４１】
境界マネージャ１８からの信号及び情報を受信すると、ＳＩＰコールマネージャ１９は、図５に示すアドレス変換テーブル１３１を用いて、受信した電話機４のローカル電話番号情報（eg.１１１×）をローカルＩＰアドレス（eg.１９２．１６８．×××．××）に変換する。そして、レジスタ１３の通話接続管理テーブル１３２を更新し、ＳＩＰメッセージ「ＩＮＶＩＴＥ」を生成する。また、ＳＩＰコールマネージャ１９は、グローバルＩＰ電話網においてＩＰ電話サービスを利用可能な電話端末として認証されるために必要なユーザ情報（ユーザＩＤ及びユーザパスワード）とＧＷ１のグローバルＩＰアドレス情報とをレジスタ１３から読み出す。そして、受信した電話番号情報のうち電話機４のローカル電話番号をＧＷ１のグローバルＩＰアドレスに置き換えて、生成した「ＩＮＶＩＴＥ」メッセージやＩＰ電話機５の電話番号情報、ユーザ情報等とともに、ＳＩＰプロキシ２に送信する（ステップＳ１０８）。
【００４２】
ＳＩＰコールマネージャ１９からのメッセージ及び情報を受信すると、ＳＩＰプロキシ２は、受信したユーザ情報（ユーザＩＤ及びユーザパスワード）に基づいてユーザ認証を行う。認証が成功したと判別すると、ＳＩＰプロキシ２は、通話の確立を試行中であることを示すＳＩＰメッセージ「ＴＲＹＩＮＧ」をＳＩＰコールマネージャ１９に送信する（ステップＳ１０９）。
【００４３】
また、ＳＩＰプロキシ２は、受信したＩＰ電話機５の電話番号情報（eg.０５０−××××−××××）をグローバルＩＰアドレス（eg.１００．×××．×××．××）に変換し、そのグローバルＩＰアドレスを有するＩＰ電話機５を特定して、発呼する。さらに、ＳＩＰプロキシ２は、鳴動開始メッセージ「ＲＩＮＧＩＮＧ」を生成し、前述したＩＰ電話機５のグローバルＩＰアドレス情報とともにＳＩＰコールマネージャ１９に送信する（ステップＳ１１０）。
【００４４】
ＳＩＰプロキシ２から信号及び情報を受信すると、ＳＩＰコールマネージャ１９は、受信したＩＰ電話機５のグローバルＩＰアドレス情報をレジスタ１３に供給して、記憶させる。また、ＳＩＰコールマネージャ１９は、レジスタ１３から電話機４のローカルＩＰアドレス情報を読み出し、呼び出し中であることを通知する信号「cbo provisional」とともに境界マネージャ１８に送信する（ステップＳ１１１）。
【００４５】
境界マネージャ１８は、呼び出し中であることを通知する信号「cmd provisional」と電話機４のローカルＩＰアドレス情報とを、ＩＰＣ接続部１７及び１６を介してメディアリレーショナルサーバ部１１の境界マネージャ１５に送信する（ステップＳ１１２）。境界マネージャ１８からの信号及び情報を受信した境界マネージャ１５は、ＳＩＰコールマネージャ１４に電話機４のローカルＩＰアドレス情報と、呼び出し中であることを知らせる信号「proc
provisional」信号とを送信する（ステップＳ１１３）。境界マネージャ１８からの信号及び情報を受信したＳＩＰコールマネージャ１４は、鳴動開始メッセージ「ＲＩＮＧＩＮＧ」と電話機４のローカルＩＰアドレス情報とを、ＩＰ−ＰＢＸ３に送信する（ステップＳ１１４）。
【００４６】
ＩＰ電話機５のユーザは、ＩＰ電話機５が着信を受けたことを察知し、受話器を取って通話を受け入れる。そして、ＩＰ電話機５は、通話を受け入れる旨を示す所定の信号をＳＩＰプロキシ２に送信する。ＳＩＰプロキシ２は、ＩＰ電話機５によって通話が受けられたことを示すＳＩＰメッセージ「２００ＯＫ」を生成し、ＩＰ電話機５のグローバルＩＰアドレス情報とともに、アウトバウンドスレイブ部１２のＳＩＰコールマネージャ１９に送信する（ステップＳ１１５）。ＳＩＰプロキシ２からの「２００ＯＫ」メッセージとＩＰ電話機５のグローバルＩＰアドレス情報とを受信したＳＩＰコールマネージャ１９は、ＳＩＰプロキシ２に送達確認のＳＩＰメッセージ「ＡＣＫ」を送信する（ステップＳ１１６）。
【００４７】
次に、ＳＩＰコールマネージャ１９は、レジスタ１３から電話機４のローカルＩＰアドレス情報を読み出し、グローバル側の端末（ＩＰ電話機５）が着呼したことを通知する信号「cbo succeeded」とともに境界マネージャ１８に送信する（ステップＳ１１７）。ＳＩＰコールマネージャ１９からの信号及び情報を受信した境界マネージャ１８は、着呼したことを通知する信号「cmd succeeded」と電話機４のローカルＩＰアドレス情報とを、ＩＰＣ接続部１７及び１６を介してメディアリレーショナルサーバ部１１の境界マネージャ１５に送信する（ステップＳ１１８）。境界マネージャ１８からの信号及び情報を受信した境界マネージャ１５は、ＳＩＰコールマネージャ１４に、ローカル側（電話機４側）での着信を要求する「proc
answer」と電話機４のローカルＩＰアドレス情報とを送信する（ステップＳ１１９）。
【００４８】
ＳＩＰコールマネージャ１４は、ＩＰ−ＰＢＸ３に「２００ＯＫ」メッセージと電話機４のローカルＩＰアドレス情報とを送信する（ステップ１２０）。「２００ＯＫ」を受信したＩＰ−ＰＢＸ３は、メディアリレーショナルサーバ部１１のＳＩＰコールマネージャ１４に確認応答メッセージ「ＡＣＫ」を送信する（ステップＳ１２１）。
【００４９】
「ＡＣＫ」を受信したＳＩＰコールマネージャ１４は、境界マネージャ１５にローカル側の電話機（電話機４）が着信したことを知らせる信号「cbi callConfirmed」を送信する（ステップＳ１２２）。「cbi callConfirmed」信号を受信すると、境界マネージャ１５は、エンドポイント２０におけるＲＴＰ通信を開通させ（「openRtp Tunnel」）、音声をＲＴＰ通信によって送受信させることにより、電話機４とＩＰ電話機５との間の通話を確立させる（ステップＳ１２３）。また、通話の確立と同時に、ＳＩＰコールマネージャ１９は、レジスタ１３にアクセスして、通話接続管理テーブル１３２の内容を更新する。
【００５０】
（通話動作）
上述したように、通話はＲＴＰ通信によるエンドポイント２０を介した音声パケットの送受信により、実現される。その際、エンドポイント２０は、図８に概念図で示すように、ローカル側（電話機４）から受け取った音声パケットに含まれるヘッダ情報のうち、音声の送信元を示す電話機４のローカルＩＰアドレスの情報をＧＷ１のグローバルＩＰアドレスへと変換して、ＩＰ電話機５に送信する。これにより、音声パケットに含まれるヘッダ情報からローカルＩＰ電話網内の情報（ローカルＩＰアドレス等）が外部へ漏れるのを防ぐことができる。
【００５１】
次に、前述した「ローカル側からの発信」以外の、通話の確立を制御するための動作について説明する。以下、「外部からの切断」、「ローカル側からの切断」、「グローバル側からの発信」、「保留転送」の４つの動作について、順を追って説明する。
【００５２】
（グローバル側からの切断）
グローバルＩＰ電話網Ｇ側の通話者は、通話を終了させるためＩＰ電話機５の受話器を置く。このＩＰ電話機５からの切断動作を、図９のダイアグラムを参照して説明する。
【００５３】
ＩＰ電話機５からの通話終了の信号を受けて、ＳＩＰプロキシ２はＳＩＰパケットの「ＢＹＥ」メッセージを生成し、アウトバウンドスレイブ部１２のＳＩＰコールマネージャ１９に送信する（ステップＳ２０１）。「ＢＹＥ」を受信したＳＩＰコールマネージャ１９は、ＳＩＰプロキシ２に確認応答メッセージ「ＡＣＫ」を送信する（ステップＳ２０２）。
【００５４】
ＳＩＰコールマネージャ１９は、グローバル側（のＩＰ電話機５）にて切断動作が行われたことを通知する信号「cbo
terminated」を境界マネージャ１８に送信する（ステップＳ２０３）。ＳＩＰコールマネージャ１９からの信号を受信した境界マネージャ１８は、エンドポイント２３を削除（「deleteEndPoint」）し（ステップＳ２０４）、ＩＰＣ接続部１７及び１６を介してメディアリレーショナルサーバ部１１の境界マネージャ１５に切断を通知する信号「cmd hangup」を送信する（ステップＳ２０５）。「cmd hangup」を受信した境界マネージャ１５は、ＳＩＰコールマネージャ１４にローカル側（の電話機４）での切断を要求する信号「proc
hangup」を送信する（ステップＳ２０６）。
【００５５】
ＳＩＰコールマネージャ１４は、ＳＩＰメッセージ「ＢＹＥ」をＩＰ−ＰＢＸ３に送信する（ステップＳ２０７）。「ＢＹＥ」メッセージを受信したＩＰ−ＰＢＸ３は、確認応答メッセージ「ＡＣＫ」をメディアリレーショナルサーバ１１のＳＩＰコールマネージャ１４に送信する（ステップＳ２０８）。
【００５６】
ＳＩＰコールマネージャ１４は、ローカル側（の電話機４）にて切断が行われたことを通知する信号「cbi
terminated」を境界マネージャ１５に送信する（ステップＳ２０９）。境界マネージャ１５は、エンドポイント２０を削除（「deleteEndPoint」）し（ステップＳ２１０）、ＩＰＣ接続部１６及び１７を介してアウトバウンドスレイブ部１２の境界マネージャ１８に切断を通知する信号「cmd hangup」を送信する（ステップＳ２１１）。
【００５７】
（ローカル側からの切断）
ローカルＩＰ電話網Ｌ側の通話者は、通話を終了させるため電話機４の受話器を置く。この電話機４からの切断動作を、図１０のダイアグラムを参照して説明する。
【００５８】
ＩＰ−ＰＢＸ３は、メディアリレーショナルサーバ部１１のＳＩＰコールマネージャ１４にＳＩＰメッセージ「ＢＹＥ」を送信する（ステップＳ３０１）。「ＢＹＥ」メッセージを受信したＳＩＰコールマネージャ１４は、ＩＰ−ＰＢＸ３に確認応答メッセージ「ＡＣＫ」を送信する（ステップＳ３０２）。また、ＳＩＰコールマネージャ１４は、ローカル側（の電話機４）にて切断が行われたことを通知する信号「cbi terminated」を境界マネージャ１５に送信する（ステップＳ３０３）。
【００５９】
境界マネージャ１５はエンドポイント２０を削除（「deleteEndPoint」）し（ステップＳ３０４）、ＩＰＣ接続部１６及び１７を介してアウトバウンドスレイブ部１２の境界マネージャ１８に切断を通知する信号「cmd hangup」を送信する（ステップＳ３０５）。アウトバウンドスレイブ部１２の境界マネージャ１８は、グローバル側（のＩＰ電話機５）での切断を要求する「proc
hangup」をＳＩＰコールマネージャ１９に送信する（ステップＳ３０６）。
【００６０】
ＳＩＰコールマネージャ１９は、ＳＩＰプロキシ２に「ＢＹＥ」メッセージを送信する（ステップＳ３０７）。「ＢＹＥ」メッセージを受信したＳＩＰプロキシ２は、ＳＩＰコールマネージャ１９に確認応答メッセージ「ＡＣＫ」を送信する（ステップＳ３０８）。
【００６１】
アウトバウンドスレイブ部１２のＳＩＰコールマネージャ１９は、グローバル側（のＩＰ電話機５）で切断が行われたことを通知する信号「cbo terminated」を境界マネージャ１８に送信する（ステップＳ３０９）。境界マネージャ１８は、エンドポイント２３を削除（「deleteEndPoint」）し（ステップＳ３１０）、ＩＰＣ接続部１７及び１６を介してメディアリレーショナルサーバ部１１の境界マネージャ１５に切断を通知する信号「cmd hangup」を送信する（ステップＳ３１１）。
【００６２】
（グローバル側からの発信）
グローバルＩＰ電話網Ｇ側の通話者は、ＩＰ電話機５の受話器を取って、所定の電話番号（ＧＷ１が有する電話番号）をダイヤルする。このグローバルＩＰ電話網Ｇからの発信動作を、図１１に示すダイアグラムを参照して説明する。
【００６３】
ＩＰ電話機５は、通話の確立を要求する所定の信号を、自己の電話番号情報及び相手先（ＧＷ１）の電話番号情報とともにＳＩＰプロキシ２に送信する。ＳＩＰプロキシ２は、ＩＰ電話機５からの信号及び情報を受信すると、ＳＩＰメッセージ「ＩＮＶＩＴＥ」を生成して、ＧＷ１のアウトバウンドスレイブ部１２のＳＩＰコールマネージャ１９に、呼の設定を要求する（ステップＳ４０１）。また、ＳＩＰプロキシ２は、接続先であるＧＷ１の電話番号情報をグローバルＩＰアドレス情報に変換し、接続元であるＩＰ電話機５の電話番号情報と、「ＩＮＶＩＴＥ」メッセージとともにＳＩＰコールマネージャ１９に送信する。「ＩＮＶＩＴＥ」を受信したＳＩＰコールマネージャ１９は、通話の確立を試行中であることを示すメッセージ「ＴＲＹＩＮＧ」をＳＩＰプロキシ２に送信する（ステップＳ４０２）。
【００６４】
ＳＩＰコールマネージャ１９は、レジスタ１３の図６に示す通話接続管理テーブル１３２にアクセスして、新規の通話接続が可能なローカルＩＰ電話網Ｌ内の電話機４のうちのひとつを選択する。そして、ＳＩＰコールマネージャ１９は、ローカル側（の電話機４）への呼び出し要求を通知する信号「cbi called」を、選択した電話機４のローカルＩＰアドレス情報とともに、境界マネージャ１８に供給する（ステップＳ４０３）。境界マネージャ１８はエンドポイント２３を作成（「createEndPoint」）し（ステップＳ４０４）、呼び出しを要求を通知する信号「cmd call」を前述した電話機４のローカルＩＰアドレス情報とともに、ＩＰＣ接続部１６及び１７を介してＧＷ１のメディアリレーショナルサーバ部１１の境界マネージャ１５に送信する（ステップＳ４０５）。
【００６５】
境界マネージャ１５は、エンドポイント２０（仮想端末）を作成（「createEndPoint」）する（ステップＳ４０６）。また、境界マネージャ１５は、呼び出しを要求する信号「proc
call」を前述した電話機４のローカルＩＰアドレス情報とともにＳＩＰコールマネージャ１４に送信する（ステップＳ４０７）。
【００６６】
境界マネージャ１５からの信号及び情報を受信すると、ＳＩＰコールマネージャ１４は、「ＩＮＶＩＴＥ」信号を生成し、電話機４のローカルＩＰアドレス情報とともにＩＰ−ＰＢＸ３に送信する（ステップＳ４０８）。ＩＰ−ＰＢＸ３は、ＳＩＰコールマネージャ１４に「ＴＲＹＩＮＧ」信号を送り返す（ステップＳ４０９）。また、ＩＰ−ＰＢＸ３は、受信したローカルＩＰアドレス情報に基づいて、対応する電話機４に対して発呼する。ＩＰ−ＰＢＸ３は、さらに「ＲＩＮＧＩＮＧ」信号を生成し、メディアリレーショナルサーバ部１１のＳＩＰコールマネージャ１４に送信する（ステップＳ４１０）。
【００６７】
ＩＰ−ＰＢＸ３から信号及び情報を受信すると、ＳＩＰコールマネージャ１４は、呼び出し中を通知する信号「cbo
provisional」とともに境界マネージャ１５に送信する（ステップＳ４１１）。ＳＩＰコールマネージャ１４からの信号を受信した境界マネージャ１５は、呼び出し中を通知する信号「cmd provisional」をＩＰＣ接続部１６及び１７を介してアウトバウンドスレイブ部１２の境界マネージャ１８に送信する（ステップＳ４１２）。
【００６８】
アウトバウンドスレイブ部１２の境界マネージャ１８は、呼び出し中の状態になることを要求する信号「proc provisional」をＳＩＰコールマネージャ１９に送信する（ステップＳ４１３）。境界マネージャ１８からの信号を受信したＳＩＰコールマネージャ１９は、「ＲＩＮＧＩＮＧ」メッセージを生成し、ＳＩＰプロキシ２に送信する（ステップＳ４１４）。
【００６９】
ＩＰ−ＰＢＸ３は、「２００ＯＫ」メッセージを生成し、メディアリレーショナルサーバ部１１のＳＩＰコールマネージャ１４に送信する（ステップＳ４１５）。「２００ＯＫ」を受信したＳＩＰコールマネージャ１４は、ＩＰ−ＰＢＸ３に「ＡＣＫ」メッセージを送信する（ステップＳ４１６）。また、ＳＩＰコールマネージャ１４は、境界マネージャ１５にローカル側（の電話機４）が着信したことを示す信号「cbo succeeded」を送信する（ステップＳ４１７）。
【００７０】
境界マネージャ１５は、ＩＰＣ接続部１６及び１７を介してアウトバウンドスレイブ部１２の境界マネージャ１８に着信が行われたことを通知する信号「cmd succeeded」を送信する（ステップＳ４１８）。境界マネージャ１５からの信号を受信した境界マネージャ１８は、グローバル側（のＩＰ電話機５）に着信応答を要求する信号「proc
answer」をＳＩＰコールマネージャ１９に送信する（ステップＳ４１９）。
【００７１】
ＳＩＰコールマネージャ１９は、ＳＩＰプロキシ２にＳＩＰメッセージ「２００ＯＫ」を送信する（ステップＳ４２０）。「２００ＯＫ」を受信したＳＩＰプロキシ２は、確認応答メッセージ「ＡＣＫ」を生成し、アウトバウンドスレイブ部１２のＳＩＰコールマネージャ１９に送信する（ステップＳ４２１）。
【００７２】
ＳＩＰコールマネージャ１９は、通話が受け入れられたことを通知する信号「cbi callConfirmed」を境界マネージャ１８に送信する（ステップＳ４２２）。ＳＩＰコールマネージャ１９からの信号を受信した境界マネージャ１８は、ＩＰＣ接続部１７及び１６を介してメディアリレーショナルサーバ部１１の境界マネージャ１５に、通話が受け入れられたことを通知する信号「cmd callConfirmed」を送信する（ステップＳ４２３）。境界マネージャ１５は、エンドポイント２０におけるＲＴＰ通信を開通させ（「openRtpTunnel」）、電話機４とＩＰ電話機５との間の通話を確立させる（ステップＳ４２４）。
【００７３】
（保留転送動作）
次に、電話機４（例えば、電話機４１）とＩＰ電話機５との間で確立した通話を、電話機４１から他の電話機４（例えば、電話機４２）へ保留して転送（以下、保留転送）する動作について、図１２のダイアグラムを参照して説明する。尚、以下の説明では、電話機４との間で通話が確立している電話機４（転送元の電話機４）をＩＰ端末Ａとし、転送先である他の電話機４をＩＰ端末Ｂとする。
【００７４】
まず、ＩＰ端末Ａは、ＩＰ電話機５との間で確立されている通話をＩＰ端末Ｂへ転送するため、現在行われているＩＰ電話機５との間の通話を保留するための処理を行う。ＩＰ端末Ａの通話者が所定の操作（保留ボタンの押下等）を行うと、ＩＰ端末Ａは、通話自己保留（ＩＰ端末Ａ側の操作による通話の保留）を要求する「ＩＮＶＩＴＥ
ｈｏｌｄ」メッセージをＩＰ−ＰＢＸ３を経由してＧＷ１のメディアリレーショナルサーバ部１１のＳＩＰコールマネージャ１４へ送信する（ステップＳ５０１）。通話自己保留を要求する「ＩＮＶＩＴＥ
ｈｏｌｄ」メッセージを受信したＧＷ１のＳＩＰコールマネージャ１４は通話自己保留を通知する「cbo_hold」を境界マネージャ１５に送信し（ステップＳ５０２）、要求元のＩＰ端末Ａへ「２００ＯＫ」を返答する（ステップＳ５０３）。
【００７５】
境界マネージャ１５は、エンドポイント２０におけるＲＴＰエンドポイント２１のＲＴＰ通信による音声の送出を停止（「HoldRtpTunnel」）させ（ステップＳ５０４）、ＲＴＰエンドポイント２２の保留音送出部２５に保留音の送出を指示する。保留音送出部２５は、所定の記憶装置（図示せず）からＷＡＶファイルを読み出し、保留音を送出する。一方、ＳＩＰコールマネージャ１４から通話自己保留の要求に対する「２００ＯＫ」を受信したＩＰ端末ＡはＳＩＰコールマネージャ１４に「ＡＣＫ」メッセージを送信する（ステップＳ５０５）。
【００７６】
これにより、ＩＰ端末ＡとＩＰ電話機５との間のＲＴＰ通信が停止し、ＩＰ電話機５へ保留音が通知される。尚、この保留音通知はＩＰ電話機５に通知される音声を、通常の音声から保留音へと変更する処理であり、音声送出動作そのものには影響を及ぼさない。
【００７７】
次に、ＩＰ端末Ａは、ＩＰ端末Ｂへの新しい通話接続を開始する。まず、ＩＰ端末Ａは、ＩＰ端末Ｂに「ＩＮＶＩＴＥ」メッセージを送信する（ステップＳ５０６）。「ＩＮＶＩＴＥ」メッセージを受信したＩＰ端末Ｂは、ＩＰ端末Ａに「ＴＲＹＩＮＧ」メッセージを送信する（ステップＳ５０７）。さらに、ＩＰ端末ＢはＩＰ端末Ａに「ＲＩＮＧＩＮＧ」メッセージを送信する（ステップＳ５０８）。
【００７８】
ここで、ＩＰ端末Ｂのユーザ（通話者）は、ＩＰ端末Ｂの受話器を取って通話を受け入れるものとする。これにより、ＩＰ端末ＢはＩＰ端末Ａに着信応答を示す「２００ＯＫ」メッセージを送信する（ステップＳ５０９）。「２００ＯＫ」メッセージを受信したＩＰ端末Ａは、ＩＰ端末Ｂに確認応答メッセージ「ＡＣＫ」を送信する（ステップＳ５１０）。
【００７９】
これにより、ＩＰ端末ＡとＩＰ端末Ｂとが通話接続される。次に、ＩＰ端末Ａは、ＩＰ端末Ｂへの転送のための処理動作を行う。
【００８０】
まず、ＩＰ端末Ａは、通話自己保留を要求する「ＩＮＶＩＴＥ ｈｏｌｄ」メッセージをＩＰ端末Ｂへ送信する（ステップＳ５１１）。「ＩＮＶＩＴＥ ｈｏｌｄ」を受信したＩＰ端末Ｂは、ＩＰ端末Ａに着信応答メッセージ「２００ＯＫ」を送信する（ステップＳ５１２）。「２００ＯＫ」を受信したＩＰ端末Ａは、ＩＰ端末Ｂへ確認応答メッセージ「ＡＣＫ」を送信する（ステップＳ５１３）。これにより、ＩＰ端末ＡとＩＰ端末Ｂとの通話が保留される。
【００８１】
ＩＰ端末Ａは、先に通話自己保留中のＩＰ電話機５との間の通話をＩＰ端末Ｂに呼転送することを要求する「Refer-To:B」メッセージを、ＩＰ−ＰＢＸ３経由でＧＷ１のＳＩＰコールマネージャ１４へ送信する（ステップＳ５１４）。「Refer-To:B」メッセージを受信したＧＷ１のＳＩＰコールマネージャ１４はＩＰ端末Ａへ転送応答示す「202 Accepted」メッセージを返答し（ステップＳ５１５）、転送接続を要求する「ＩＮＶＩＴＥ」メッセージを、転送先として指定された端末であるＩＰ端末Ｂへ、ＩＰ−ＰＢＸ３を経由して送信する（ステップＳ５１６）。
【００８２】
ＧＷ１からの転送接続を要求する「ＩＮＶＩＴＥ」メッセージを受信したＩＰ端末Ｂは、先にＩＰ端末Ａとの間で通話自己保留中となっていた通話の接続先をＧＷ１へと変更させ、着信応答を表す「２００ＯＫ」をＧＷ１へ返答する（ステップＳ５１７）。
【００８３】
ＩＰ端末Ｂからの着信応答メッセージ「２００ＯＫ」を受信したＧＷ１のＳＩＰコールマネージャ１４は、通話接続先の変更を通知する「cbi_callTransfer」を境界マネージャ１５に送信し（ステップＳ５１８）、ＩＰ端末Ｂへ確認応答メッセージ「ＡＣＫ」を返信する（ステップＳ５１９）。
【００８４】
境界マネージャ１５は、停止中であったＲＴＰエンドポイント２１を再び稼動させて音声の送出先をＩＰ端末Ｂへと変更（「TransferRtpTunnel」）させる（ステップＳ５２０）。さらに、保留音を送出中のＲＴＰエンドポイント２２（の保留音送出部２５）に保留音の送出を停止させ、ＲＴＰエンドポイント２１とＲＴＰエンドポイント２２とを再接続させる。
【００８５】
これにより、ＩＰ端末ＢとＩＰ電話機５との間のＲＴＰ通信が開始される。尚、この処理は、ＩＰ電話機５に通知される音声を保留音から通常の音声へと変更させる処理であり、音声送出動作そのものには影響を及ぼさない。
【００８６】
次に、転送接続を完了したＧＷ１のＳＩＰコールマネージャ１４は、呼転送の要求元であるＩＰ端末Ａへ転送完了通知メッセージ「ＮＯＴＩＦＹ」を送信する（ステップＳ５２１）。ＩＰ端末Ａは「ＮＯＴＩＦＹ」の送信元であるＧＷ１のＳＩＰコールマネージャ１４へ「２００ＯＫ」を応答し（ステップＳ５２２）、当初ＧＷ１と接続されていた通話の音声リソースを開放して通話を切断（以下、開放切断）するために、「ＢＹＥ」メッセージをＧＷ１へ要求する（ステップＳ５２３）。ＧＷ１のＳＩＰコールマネージャ１４はＩＰ端末Ａから「ＢＹＥ」を受信すると、当初ＩＰ端末ＡとＧＷ１との間で接続されていた通話を開放切断し、開放切断要求に対する応答メッセージ「２００ＯＫ」を送信する（ステップＳ５２４）。
【００８７】
以上の処理により、保留転送の動作が行われる。上述したように、ローカルＩＰ電話網Ｌで行われた保留転送動作は、グローバルＩＰ電話網Ｇへ影響を及ぼさない。したがって、ローカルＩＰ電話網内の動作を外部に対して秘匿することが可能となる。
【００８８】
以上説明したような構成及び各動作（発信、切断、保留転送）により、ＩＰ電話通信が実現される。上述したように、本実施の形態に係るＧＷ１では、仮想端末としてエンドポイント２０とエンドポイント２３とが形成される。この仮想端末が、グローバルＩＰ電話網Ｇにおいて端末として動作するための端末認証（ユーザ認証）等の処理を行うことにより、ローカルＩＰ電話網Ｌの内部からのグローバルＩＰ電話網ＧへのＩＰ電話接続が可能となる。
【００８９】
また、ローカル側からの発信動作の際、ＧＷ１は電話機４のローカルＩＰアドレスをＧＷ１のグローバルＩＰアドレスへと変換して、接続要求を行う。また、保留転送動作の際のローカルＩＰ電話網Ｌ内における転送の動作は、メディアリレーショナルサーバ部１１側のみで行われる。したがって、ローカルＩＰ電話網Ｌ内の情報及び動作は外部（グローバルＩＰ電話網Ｇ）へと漏洩しない。
【００９０】
また、上述の保留転送動作において電話機４とＳＩＰコールマネージャ１４との間で送受信されるメッセージは、グローバルＩＰ電話網Ｇに通達されない。これにより、ローカルＩＰ電話網Ｌに固有のメッセージ（「ＩＮＶＩＴＥ
ｈｏｌｄ」、「Ｒｅｆｅｒ−Ｔｏ：Ｂ」、「ＮＯＴＩＦＹ」等）を用いて保留転送動作等の処理動作を行うことができる。
【００９１】
（第２実施形態）
本実施の形態に係るゲートウェイ装置及びＩＰ電話システムが前述の第１実施形態のものと異なる点は、ＧＷ１が電話機４とＩＰ電話機５との通話接続時に接続経路を選択する経路選択機能を備える点である。以下、この経路選択機能について説明する。
【００９２】
前述の第１実施形態では、図１に示すように単数のＳＩＰプロキシ２が存在するシステムの例を示したが、実際にはＳＩＰプロキシ２はＩＰ電話サービスを行う各プロバイダ毎に異なり、また、同一のプロバイダが複数のＳＩＰプロキシ２を有している場合もある。したがって、ローカル側を省略して図示すると、本実施の形態に係るＩＰ電話システムは、図１３に示すようにＧＷ１と複数のＳＩＰプロキシ２（２１〜２ｋ）とＩＰ電話機５（５１〜５ｍ）とローカルＩＰ電話網Ｇとから構成される。このため、電話機４とＩＰ電話機５とのＳＩＰプロキシ２を介した通話接続には、複数の経路が存在することになる。
【００９３】
本実施の形態に係るＧＷ１において、レジスタ１３（記憶部３３）は、図１４に示すような接続経路情報テーブル１３３を記憶する。この接続経路情報テーブル１３３の内容は、通信制御部３２がグローバルＩＰ電話網Ｇから取得した情報をもとに、逐次更新される。
【００９４】
ＧＷ１は、前述した接続経路情報テーブル１３３から、所定の条件に基づいて通話接続の経路を選択・決定する。以下、この経路選択の際のＧＷ１の具体的な動作について説明する。
【００９５】
第１実施形態にて述べたように、通話確立動作（ローカル側からの発信）のステップＳ１０７において、境界マネージャ１８は「proc call」をＳＩＰコールマネージャ１９に送信する。その際、本実施の形態では、境界マネージャ１８は、通話接続を行うための接続経路を選択・決定し、選択・決定された接続経路に関する情報を、「proc
call」とともにＳＩＰコールマネージャ１９に送信する。この動作について、図１５のフローチャートを参照して説明する。
【００９６】
まず、境界マネージャ１８は、レジスタ１３から接続経路情報テーブル１３３を読み出す（ステップＳ６０１）。そして、接続先であるＩＰ電話機５の電話番号をもとに、経由するＳＩＰプロキシ２（２１〜２ｋ）を、候補Ｑ（Ｑ＝１〜ｋ）として通話料金の安いものから順に抽出する（ステップＳ６０２）。
【００９７】
境界マネージャ１８は、候補ナンバーＱをＱ＝１（１番目に安いもの）に設定し（ステップＳ６０３）、そのＳＩＰプロキシ２を経由した接続においてサービス障害（接続経路の不通部分など）が生じているか否かを判別する（ステップＳ６０４）。
【００９８】
サービス障害があると判別すると（ステップＳ６０４：Ｙｅｓ）、そのＳＩＰプロキシ２は経由するのに不適当であると判別し、候補ナンバーＱに１を加えて次の候補ナンバーに移り（ステップＳ６０５）、ステップＳ５０４に戻って再びサービス障害の有無を判別する。一方、サービス障害がないと判別すると（ステップＳ６０４：Ｎｏ）、そのＳＩＰプロキシ２を経由する接続経路が適当であるとして接続経路を決定し（ステップＳ６０６）、この処理を終了する。また、Ｑ＝ｋに達してもサービス障害のない接続経路が見つからない場合、接続不可能と判別して、処理を終了する。
【００９９】
以上、説明したような処理動作により、電話機４とＩＰ電話機５との間の接続経路が選択・決定される。これにより、ＩＰ電話を利用するユーザが自ら接続経路の設定等を行う手間を省くことができる。
【０１００】
（第３実施形態）
本実施の形態に係るゲートウェイ装置及びＩＰ電話システムが前述の第１実施形態や第２実施形態のものと異なる点は、ＧＷ１がメディア変換機能を備える点である。メディア変換機能は、通話接続された端末間（電話機４とＩＰ電話機５）で利用可能な音声コーデック（例えば、Ｇ．７１１やＧ．７２３等の圧縮符号化方式）や秘匿機能が異なる場合に、メディア変換を行って双方の音声コーデックや秘匿機能を一致させる機能である。以下、このメディア変換機能について説明する。
【０１０１】
図１６に示すように、本実施の形態に係るＧＷ１は、エンドポイント２０内のＲＴＰエンドポイント２１と２２とに、それぞれメディア変換部２６と２７とを備える。以下、このメディア変換部２６及び２７によるメディア変換処理の動作について、図１７を参照して説明する。
【０１０２】
メディア変換部２６及び２７は、電話機４とＩＰ電話機５とからの音声データをＲＴＰによって受信すると、その音声データがどのような符号化方式を用いて符号化されたものであるかを判別し（ステップＳ７０１）、双方の音声データの圧縮方式を比較する（ステップＳ７０２）。
【０１０３】
圧縮方式が同一のものでないと判別すると（ステップＳ７０２：Ｎｏ）、メディア変換部２６（又は２７）は双方の音声コーデックを、レジスタ１３に格納された圧縮方式変換テーブル（図示せず）に基づいて所定の音声コーデック（圧縮方式）へと変換する（ステップＳ７０３）。一方、圧縮方式が同一のものであると判別すると（ステップＳ７０２：Ｙｅｓ）、音声コーデックの変換を行わずに、次のステップへと進む。
【０１０４】
メディア変換部２６及び２７は、さらに、受信した各々の音声データがどのような暗号化方式を用いて暗号化されたものであるのかを判別し（ステップＳ７０４）、双方の暗号化方式を比較する（ステップＳ７０５）。
【０１０５】
暗号化方式が同一のものでないと判別すると（ステップＳ７０５：Ｎｏ）、メディア変換部２６（又は２７）は双方の暗号化方式を、レジスタ１３に格納された暗号化方式変換テーブル（図示せず）に基づいて所定の暗号化方式へと変換する（ステップＳ７０６）。一方、暗号化方式が同一のものであると判別すると（ステップＳ７０５：Ｙｅｓ）、暗号化機能の変換を行わずに、そのまま処理を終える。
【０１０６】
以上、説明したような処理動作により、メディア変換が行われる。このメディア変換機能により、音声コーデックの異なる端末間における通話が可能となる。また、音声暗号化方式の異なる端末間における通話が可能となる。
【０１０７】
（第４実施形態）
本実施の形態に係るゲートウェイ装置及びＩＰ電話システムが前述の第１実施形態〜第３実施形態のものと異なる点は、ＧＷ１が同時接続制限機能を備える点である。同時接続制限機能は、ローカルＩＰ電話網Ｌ内の電話機４（４１〜４ｎ）のうち複数の電話機からグローバルＩＰ電話網Ｇに接続されたＩＰ電話機５（５１〜５ｍ）への通話接続の要求があった場合に、接続する通話接続の本数を制限する機能である。以下、この同時接続制限機能について説明する。
【０１０８】
図１８に示すように、本実施の形態に係るＧＷ１は、アウトバンドスレイブ部のＳＩＰコールマネージャ１９内に、通話接続管理部２８を備える。以下、この通話接続管理部による通話接続制限処理の動作について、図１９を参照して説明する。
【０１０９】
まず、通話接続管理部２８は、通話の確立を要求する信号を境界マネージャ１８から受信すると（ステップＳ８０１）、レジスタ１３の通話接続管理テーブル１３２から、現在通話接続中の接続状況の情報を取得する（ステップＳ８０２）。
【０１１０】
通話接続管理部２８は、現在通話接続中の回線の本数が所定値と比較して少ないか否かを判別する（ステップＳ８０３）。本数が所定値に達している（少なくない）と判別すると（ステップＳ８０３：Ｎｏ）、通話接続管理部２８はその通話接続の要求を拒否し（ステップＳ８０４）、その旨を示すメッセージを境界マネージャ１８に返信する。
【０１１１】
一方、本数が所定値よりも少ない（所定値に達していない）と判別すると（ステップＳ８０３：Ｙｅｓ）、通話接続管理部２８は通話接続中の回線の本数に＋１を加え（ステップＳ８０５）、ＳＩＰプロキシ２にメッセージを送信して通話接続の要求処理を続行する（ステップＳ８０６）。
【０１１２】
以上、説明したような処理動作により、通話の同時接続の制限処理が行われる。この通話の同時接続制限処理により、多数の通話接続処理を行うことによってＧＷ１にかかる負荷を軽減することができる。
【０１１３】
尚、本発明は上記実施の形態に限られず、様々な変形や応用が可能である。例えば、上記実施の形態では、ＲＴＰエンドポイント２１とＲＴＰエンドポイント２２とがエンドポイント２０内に生成される構成としたが、これらはエンドポイント２３内に生成されるものであってもよい。
【０１１４】
また、上記実施の形態で示したアドレス変換テーブル１３１や通話接続管理テーブル１３２、接続経路情報テーブル１３３等はあくまで一例であり、テーブルに書き込まれる情報は、図面に示すものに限定されない。
【０１１５】
また、上述の第３実施形態において、メディア変換の際にはレジスタ１３に記憶された変換テーブルを用いて音声コーデックと暗号化方式とを所定の方式に変換するとしたが、変換方法はこれに限定されない。つまり、双方の音声コーデックや暗号化方式を統一するものであればよく、例えば、一方の音声コーデック又は暗号化方式をもう一方の方式へと変換するような構成としてもよい。
【０１１６】
また、上述の第４実施形態において、ローカルＩＰ電話網Ｌ内の電話機４（４１〜４ｎ）からのグローバルＩＰ電話網Ｇに接続されたＩＰ電話機５（５１〜５ｍ）への通話接続の本数を制限する例を示したが、逆にグローバルＩＰ電話網Ｇに接続されたＩＰ電話機５（５１〜５ｍ）からのローカルＩＰ電話網Ｌ内の電話機４（４１〜４ｎ）への通話接続の本数を制限させることも当然可能である。
【図面の簡単な説明】
【０１１７】
【図１】本発明の実施の形態に係るＩＰ電話システムの構成を示す図である。
【図２】図１のゲートウェイ装置の構成を示す図である。
【図３】図１のゲートウェイ装置が動作プログラムに従って動作する際の擬似的な装置構成を示す図である。
【図４】図１のゲートウェイ装置が保留音送出機能を有する場合のエンドポイントの構成を示す図である。
【図５】図１のゲートウェイ装置のレジスタに格納されるアドレス変換テーブルの例を示す図である。
【図６】図１のゲートウェイ装置のレジスタに格納される通話接続管理テーブルの例を示す図である。
【図７】ローカルＩＰ電話網側からの発信時における図３のゲートウェイ装置の動作を示すダイアグラムである。
【図８】通話動作における音声パケットのヘッダ情報の変換の様子を概念的に示す図である。
【図９】グローバルＩＰ電話網側からの切断時における図３のゲートウェイ装置の動作を示すダイアグラムである。
【図１０】ローカルＩＰ電話網側からの切断時における図３のゲートウェイ装置の動作を示すダイアグラムである。
【図１１】グローバルＩＰ電話網側からの発信時における図３のゲートウェイ装置の動作を示すダイアグラムである。
【図１２】ローカルＩＰ電話網側からの保留転送時における図３のゲートウェイ装置の動作を示すダイアグラムである。
【図１３】複数のＳＩＰプロキシが接続された場合のＩＰ電話システムの構成を示す図である。
【図１４】記憶部に格納される接続経路情報テーブルを例示する図である。
【図１５】図１４の接続経路情報テーブルをもとに接続経路を選択する動作を説明するためのフローチャートである。
【図１６】図３のゲートウェイ装置がメディア変換機能を有する場合のエンドポイントの構成を示す図である。
【図１７】図３のゲートウェイ装置がメディア変換機能を有する場合のメディア変換動作を説明するためのフローチャートである。
【図１８】図３のゲートウェイ装置が同時接続制限機能を有する場合の装置構成図である。
【図１９】図３のゲートウェイ装置が同時接続制限機能を有する場合の通話接続制限処理の動作を説明するためのフローチャートである。
【符号の説明】
【０１１８】
１  ＧＷ
２  ＳＩＰプロキシ
３  ＩＰ−ＰＢＸ
４  電話機
５  ＩＰ電話機
Ｌ  ローカルＩＰ電話網
Ｇ  グローバルＩＰ電話網
１１  メディアリレーショナルサーバ部
１２  アウトバウンドスレイブ部
１３  レジスタ
１４  ＳＩＰコールマネージャ
１５  境界マネージャ
１６  ＩＰＣ接続部
１７  ＩＰＣ接続部
１８  境界マネージャ
１９  ＳＩＰコールマネージャ
２０  エンドポイント
２１  ＲＴＰエンドポイント
２２  ＲＴＰエンドポイント
２３  エンドポイント
２４  保留音送出部
２５  保留音送出部
２６  メディア変換部
２７  メディア変換部
１３１  アドレス変換テーブル
１３２  通話接続管理テーブル
１３３  接続経路情報テーブル
【図１】
2005191738.tif 000003
【図２】
2005191738.tif 000004
【図３】
2005191738.tif 000005
【図４】
2005191738.tif 000006
【図５】
2005191738.tif 000007
【図６】
2005191738.tif 000008
【図７】
2005191738.tif 000009
【図８】
2005191738.tif 000010
【図９】
2005191738.tif 000011
【図１０】
2005191738.tif 000012
【図１１】
2005191738.tif 000013
【図１２】
2005191738.tif 000014
【図１３】
2005191738.tif 000015
【図１４】
2005191738.tif 000016
【図１５】
2005191738.tif 000017
【図１６】
2005191738.tif 000018
【図１７】
2005191738.tif 000019
【図１８】
2005191738.tif 000020
【図１９】
2005191738.tif 000021